(57)【要約】【課題】デッキ板に対して、連結部と被連結部の所期の係止関係を保つことのできる位置にデッキ板用足が簡単に取り付けできるようにし、デッキ板の配列デザインの自由度を高める。【解決手段】デッキ板用足１の支持板部４に、該支持板部４中央を中心として点対称となる対のビス孔１４を設けるとともに、デッキ板用足１の円柱状被横連結部９の位置を支持板部４の中央を中心として点対称とし、かつビス孔１４と円柱状被横連結部９とが支持板部４の長辺方向に沿った中心線上に位置し、円柱状被横連結部９それれぞれの中心位置にビス孔１４を位置させた。【選択図】    図１
2004183473.tif 000002
【特許請求の範囲】
【請求項１】
それぞれが同一の板幅とされて周囲に目地の間隔を配して並べることによりデッキ面を形成する複数のデッキ板それぞれの裏面に取り付けられるデッキ板用足であり、
長方形にして長辺方向の長さがデッキ板の板幅と同一にして、デッキ板が乗せ置かれる支持板部と、
前記支持板部における一方の短辺側の裏面から長辺方向に突出して短辺方向に並設された一対の縦連結部と、
前記縦連結部に係脱可能に係止する係止関係を有し、支持板部の長辺方向に前記縦連結部に対応して支持板部における他方の短辺側の裏面で支持板部の短辺方向に並設された一対の被縦連結部と、
前記支持板部における一方の長辺側の裏面から支持板部の短辺方向に突出した複数の横連結部と、
前記横連結部に係脱可能に係止する係止関係を有し、支持板部の短辺方向に前記横連結部に対応して支持板部の裏面に設けられた複数の被横連結部とを備え、
前記縦連結部と前記被縦連結部と前記横連結部と前記被横連結部とが高さ寸法を同一にして接地するデッキ板用足において、
前記支持板部は、該支持板部の中央を中心として点対称となる対のビス孔を有するとともに、上記被横連結部の位置が支持板部の中央を中心として点対称となり、かつ前記ビス孔と被横連結部とが支持板部の長辺方向に沿った中心線上に位置し、前記被横連結部それれぞれの中心位置に前記ビス孔が位置していることを特徴とするデッキ板用足。
【請求項２】
上記支持板部の一方の短辺に、デッキ板用足取付時のデッキ板端面に対する位置合わせとなる位置合わせ部が設けられているとともに、他方の短辺に、目地寸法と同一にしてデッキ板用足長辺方向並設時に隣位する支持板部側に突き合わして目地間隔を確保する張り出し部が設けられ、
支持板部の長辺それぞれには、デッキ板用足取付時のデッキ板端面に対する位置合わせとなる位置合わせ部と、デッキ板用足短辺方向並設時に隣位する支持板部側に突き合わして目地間隔を確保する張り出し部とが設けられている請求項１に記載のデッキ板用足。
【請求項３】
複数を目地の間隔を配して並べることによりデッキ面を形成するデッキ板の裏面に、該デッキ板の板幅方向または板長さ方向を取付方向として取り付けられる第一足と第二足とからなるデッキ板用足であり、
前記第一足は、
デッキ板が乗せ置かれる第一支持板部と、
前記第一支持板部での前記取付方向における前記第二足側とは反対の辺側の裏面から前記第二足側とは反対方向に突出して、取付方向に対する直交方向に並設された一対の縦連結部と、
前記第一支持板部での前記直交方向における一方の辺側の裏面から直交方向に突出した第一横連結部と、
前記第一横連結部に係脱可能にして係止する係止関係を有し、第一支持板部での前記直交方向で前記第一横連結部に対応して第一支持板部の裏面に設けられた第一被横連結部とを備え、
前記第二足は、
デッキ板が乗せ置かれ、離れた第一足の第一支持板部とで分離支持板部を形成する第二支持板部と、
前記第一足の縦連結部に係脱可能に係止する係止関係を有し、前記第二支持板部での前記取付方向で前記縦連結部に対応して前記第一足側とは反対の辺側の裏面で直交方向に並設された一対の被縦連結部と、
前記第二支持板部での前記直交方向における一方の辺側の裏面から直交方向Ｙに突出した第二横連結部と、
前記第二横連結部に係脱可能にして係止する係止関係を有し、第二支持板部での直交方向で前記第二横連結部に対応して第二支持板部の裏面に設けられた第二被横連結部とを備え、
前記第一支持板部と第二支持板部とは、前記分離支持板部の中央を中心として点対称となる位置にビス孔を有するととに、第一支持板部における第一被横連結部と第二支持板部の第二被横連結部とが前記中央を中心とした点対称となる位置にあり、
第一支持板部と第二支持板部とのそれぞれに、第一足と第二足とをデッキ板に取り付けるときのデッキ板端面に対する位置合わせとなる位置合わせ部を設け、
第一支持板部での前記取付方向における前記第二足側とは反対の辺と第二支持板部での前記取付方向おける前記第一足側とは反対の辺との何れか一方の辺に、取付方向に沿った方向への突出量を目地寸法と同一にして延設されデッキ板用足取付方向並設時に隣位する分離支持板部側に突き合わして目地間隔を確保する張り出し部が設けられ、
第一支持板部と第二支持板部とにおける直交方向に相対する辺それぞれに、直交方向に沿った方向に延設され、デッキ板用足直交方向並設時に隣位する分離支持板部側に突き合わして目地間隔を確保する張り出し部が設けられ、
デッキ板の板幅に応じて前記分離支持板部の取付方向での寸法を可変とした構成を備えることを特徴とするデッキ板用足。
【請求項４】
請求項１と２の何れか一項に記載のデッキ板用足が裏面に取り付けられ、目地を介して並べることによりデッキ面を形成するデッキ板であって、
デッキ板長さ寸法が、板幅寸法に目地寸法を加えてなる単位長さ寸法を自然数倍した値から目地寸法を引いた値となる寸法とされ、
デッキ板裏面には、デッキ板用足を、単位長さ寸法から目地寸法を引いた値となる長さ寸法の辺に上記支持板部の長辺における位置合わせ部を沿わせて配したときの上記ビス孔に対応する位置と、複数のデッキ板用足を、該デッキ板用足の縦連結部と被縦連結部とを連結させながらデッキ板長さ方向の辺に支持板部の長辺における位置合わせ部を沿わせて配したときの上記ビス孔に対応する位置とに足取付孔が予め設けられていることを特徴とするデッキ板。
【請求項５】
デッキ板端部側の目地通り芯となる位置からの板長さ方向での単位長さ寸法ごとの何れかの位置に支持板部の長辺方向の中心線を合わせ、かつ支持板部の短辺における位置合わせ部をデッキ板長さ方向の辺に沿わせてデッキ板用足を配するときの上記ビス孔に対応する位置に上記足取付孔が予め設けられている請求項４に記載のデッキ板。
【発明の詳細な説明】
【技術分野】
【０００１】
本発明はベランダの床やテラスなどの床上をデッキ風に仕上げるために用いるデッキパネル用足とこのデッキ板用足に適合するデッキ板に関するものである。
【背景技術】
【０００２】
一般にベランダやテラスなどの床はコンクリートにて打ち上げられていることが多く、コンクリートの無機質的な地肌が見えるためにベランダやテラス全体の雰囲気が損なわれ易いものとなっている。そこで、コンクリート床面上にデッキ板を敷き並べてその床上をデッキ仕上げとしコンクリートの地肌が見えないようにする工夫が提案されている。
【０００３】
その一つとして、それぞれ同寸法にして並べられたデッキ板の端部それぞれが乗せられるようにして取り付けるデッキ板用足がある。このデッキ板用足は、長方形の支持板に、その支持板の一方の短辺側に突出配置した一対の円筒状の縦連結部とこの縦連結部に係止関係があって他方の短辺側に配置した一対の円柱状の被縦連結部とを設け、また前記支持板の長辺側に突出配置した複数の円筒状の横連結部とこの横連結部に係止関係がある複数の被横連結部とを設けたものである。そして、複数のデッキ板を並べて組となっている並設体に予めデッキ板用足を取り付けることでデッキパネルを形成し、隣り合うデッキパネルの両者で前記デッキ板用足の縦連結部と被縦連結部とを係止させ、横連結部と被横連結部とを係止させながら、複数のデッキパネルを並べるようにしていた（例えば、特許文献１参照）。
【０００４】
また、上記デッキ板用足を一本のデッキ板の端部を乗せることができるものとし、予めそれぞれの端部にそのデッキ板用足が取り付けられている複数のデッキ板を並べることでデッキ面を形成するようにしたものも提案されている（例えば、特許文献２参照）。
【特許文献１】特開平１１−１３１７５８号公報（項目番号０００６−００１０、図１、図２、図３）
【特許文献２】参照特開２００２−１３８６５４号公報（項目番号００１２−００２２、図１、図２）
【発明の開示】
【発明が解決しようとする課題】
【０００５】
ところで、上記デッキ板用足が取り付けられているデッキ板を、縦連結部と被縦連結部の係止関係、および横連結部と被横連結部の係止関係を保ちなら並べることでデッキ板の通りが一方向に揃うものとなるが、デッキ板の並びに変化を付けることでデッキ面のデザインは、デッキ板の通りを一方向のみとした場合に比べて見た目の感じが異なるものとなる。そのためデッキ面を形成する場所の雰囲気に合わせてデッキ板の並びをデザインしたいとの要望がある。
【０００６】
しかしながら、複数のデッキ板を例えば市松風のパターンで配置しようとした場合、デッキパネルやデッキ板などのデッキ部材に予めデッキ板用足が取り付けられているため、隣り合うデッキ板用足同士が直角にして向き合う場所が生じ、隣り合うデッキ部材同士をこのデッキ板用足で連結させながら直角のパターンが存在する並びで配置させようとすると、上述した縦連結部と被縦連結部、および横連結部と被横連結部の係止関係を崩してその隣り合うデッキ板用足同士を連結しなければならない。さらに、図２７に示すように、デッキ部材ａが直角に隣り合ってデッキ板用足ｂが集合するようになった場所の内で、二つの連結部ｃが一つの被連結部ｄに重なる配置となる場所や二つの連結部ｃが相対する場所が生じ、何れか一方の連結部を切除しなければデッキ部材を所望の並びに配置できないという問題があった。
【０００７】
この問題への対策としてはその施工の時点でデッキ板用足の向きが変わるようにデッキ板に対する取付位置を変更することが考えられるが、デッキ板用足による所期の係止関係が形成できるようにそのデッキ板用足をデッキ板に取り付け直す場合、デッキ板に対するデッキ板用足の正確な位置決めを施工現場で行なわなければならず、この作業が非常に煩雑なものとなる。即ち、デッキ板用足の位置ずれは、デッキ部材を隣り合わせして配置したときの両者の間に形成される目地の幅にも影響を及ぼすものであり、デッキ板用足の取付に関しては、専用設備のある工場にて行われている。
そのため、デッキ板用足の付け直しは行なわずに上述した連結部の切断除去を行なっており、デッキ板用足が隣り合いながらこの両者が連結し合わない個所を生じさせているのが現状である。また、各種の並びに対応できるようにデッキ板用足の取付位置がそれぞれ異なっている同一長さのデッキ部材を予め製作しておくことは在庫管理などが非常に煩雑なものとなる。
そこで本発明は上記事情に鑑み、デッキ板に対して、連結部と被連結部の所期の係止関係を保つことのできる位置にデッキ板用足が簡単に取り付けできるようすることを課題とし、デッキ板の配列デザインの自由度を高くすることを目的とする。
【課題を解決するための手段】
【０００８】
本発明は上記課題を考慮してなされたもので、それぞれが同一の板幅とされて周囲に目地の間隔を配して並べることによりデッキ面を形成する複数のデッキ板それぞれの裏面に取り付けられるデッキ板用足であり、長方形にして長辺方向の長さがデッキ板の板幅と同一にして、デッキ板が乗せ置かれる支持板部と、前記支持板部における一方の短辺側の裏面から長辺方向に突出して短辺方向に並設された一対の縦連結部と、前記縦連結部に係脱可能に係止する係止関係を有し、支持板部の長辺方向に前記縦連結部に対応して支持板部における他方の短辺側の裏面で支持板部の短辺方向に並設された一対の被縦連結部と、前記支持板部における一方の長辺側の裏面から支持板部の短辺方向に突出した複数の横連結部と、前記横連結部に係脱可能に係止する係止関係を有し、支持板部の短辺方向に前記横連結部に対応して支持板部の裏面に設けられた複数の被横連結部とを備え、前記縦連結部と前記被縦連結部と前記横連結部と前記被横連結部とが高さ寸法を同一にして接地するデッキ板用足において、前記支持板部は、該支持板部の中央を中心として点対称となる対のビス孔を有するとともに、上記被横連結部の位置が支持板部の中央を中心として点対称となり、かつ前記ビス孔と被横連結部とが支持板部の長辺方向に沿った中心線上に位置し、前記被横連結部それれぞれの中心位置に前記ビス孔が位置していることを特徴とするデッキ板用足を提供して、上記課題を解消するものである。
【０００９】
そして、上記支持板部の一方の短辺に、デッキ板用足取付時のデッキ板端面に対する位置合わせとなる位置合わせ部が設けられているとともに、他方の短辺に、目地寸法と同一にしてデッキ板用足長辺方向並設時に隣位する支持板部側に突き合わして目地間隔を確保する張り出し部が設けられ、支持板部の長辺それぞれには、デッキ板用足取付時のデッキ板端面に対する位置合わせとなる位置合わせ部と、デッキ板用足短辺方向並設時に隣位する支持板部側に突き合わして目地間隔を確保する張り出し部とが設けられているものとすることが可能である。
【００１０】
さらにもう一つの発明は、上記デッキ板用足が裏面に取り付けられ、目地を介して並べることによりデッキ面を形成するデッキ板であって、デッキ板長さ寸法が、板幅寸法に目地寸法を加えてなる単位長さ寸法を自然数倍した値から目地寸法を引いた値となる寸法とされ、デッキ板裏面には、デッキ板用足を、単位長さ寸法から目地寸法を引いた値となる長さ寸法の辺に上記支持板部の長辺における位置合わせ部を沿わせて配したときの上記ビス孔に対応する位置と、複数のデッキ板用足を、該デッキ板用足の縦連結部と被縦連結部とを連結させながらデッキ板長さ方向の辺に支持板部の長辺における位置合わせ部を沿わせて配したときの上記ビス孔に対応する位置とに足取付孔が予め設けられていることを特徴とするデッキ板であり、このデッキ板を提供することにより上記課題を解消するものである。
【００１１】
そして、この発明において、デッキ板端部側の目地通り芯となる位置からの板長さ方向での単位長さ寸法ごとの何れかの位置に支持板部の長辺方向の中心線を合わせ、かつ支持板部の短辺における位置合わせ部をデッキ板長さ方向の辺に沿わせてデッキ板用足を配するときの上記ビス孔に対応する位置に上記足取付孔が予め設けられているものとすることが可能である。
【００１２】
さらにもう一つの発明は、複数を目地の間隔を配して並べることによりデッキ面を形成するデッキ板の裏面に、該デッキ板の板幅方向または板長さ方向を取付方向として取り付けられる第一足と第二足とからなるデッキ板用足であり、前記第一足は、デッキ板が乗せ置かれる第一支持板部と、前記第一支持板部での前記取付方向における前記第二足側とは反対の辺側の裏面から前記第二足側とは反対方向に突出して、取付方向に対する直交方向に並設された一対の縦連結部と、前記第一支持板部での前記直交方向における一方の辺側の裏面から直交方向に突出した第一横連結部と、前記第一横連結部に係脱可能にして係止する係止関係を有し、第一支持板部での前記直交方向で前記第一横連結部に対応して第一支持板部の裏面に設けられた第一被横連結部とを備え、前記第二足は、デッキ板が乗せ置かれ、離れた第一足の第一支持板部とで分離支持板部を形成する第二支持板部と、前記第一足の縦連結部に係脱可能に係止する係止関係を有し、前記第二支持板部での前記取付方向で前記縦連結部に対応して前記第一足側とは反対の辺側の裏面で直交方向に並設された一対の被縦連結部と、前記第二支持板部での前記直交方向における一方の辺側の裏面から直交方向Ｙに突出した第二横連結部と、前記第二横連結部に係脱可能にして係止する係止関係を有し、第二支持板部での直交方向で前記第二横連結部に対応して第二支持板部の裏面に設けられた第二被横連結部とを備え、前記第一支持板部と第二支持板部とは、前記分離支持板部の中央を中心として点対称となる位置にビス孔を有するととに、第一支持板部における第一被横連結部と第二支持板部の第二被横連結部とが前記中央を中心とした点対称となる位置にあり、第一支持板部と第二支持板部とのそれぞれに、第一足と第二足とをデッキ板に取り付けるときのデッキ板端面に対する位置合わせとなる位置合わせ部を設け、
第一支持板部での前記取付方向における前記第二足側とは反対の辺と第二支持板部での前記取付方向おける前記第一足側とは反対の辺との何れか一方の辺に、取付方向に沿った方向への突出量を目地寸法と同一にして延設されデッキ板用足取付方向並設時に隣位する分離支持板部側に突き合わして目地間隔を確保する張り出し部が設けられ、第一支持板部と第二支持板部とにおける直交方向に相対する辺それぞれに、直交方向に沿った方向に延設され、デッキ板用足直交方向並設時に隣位する分離支持板部側に突き合わして目地間隔を確保する張り出し部が設けられ、デッキ板の板幅に応じて前記分離支持板部の取付方向での寸法を可変とした構成を備えることを特徴とするデッキ板用足であり、このデッキ板用足を提供して上記課題を解消するものである。。
【発明の効果】
【００１３】
第一の発明のデッキ板用足により、デッキ板におけるデッキ板用足の取付部位に正逆の向きそれぞれで配しても、デッキ板に対するビス孔の位置がずれることがなく、デッキ板に予め足取付孔を設けておくことができるようになる。また、長辺方向の寸法がデッキ板の板幅と同じとなる支持板部の短辺と長辺とに、位置合わせ用の位置合わせ部を設けているため、デッキ板用足をデッキ板に取り付けるときの正確な位置合わせが簡単に行なえるようになる。さらに支持板部の短辺と長辺それぞれとに、目地間隔を確保するための張り出し部を突出位置させることにより、デッキ板用足をデッキ板における所定位置に配置さえすれば、その張り出し部がデッキ板の端面から突出し、デッキ部材を並べることでその張り出し部の働きによりデッキ板の周りに適正な間隔での目地が形成できるようになる。
【００１４】
また、本発明のデッキ板によれば、デッキ板が正方形であるときには、各辺にデッキ板用足を位置合わせして配したときのビス孔に対応する位置に足取付孔が予め設けられ、長方形であるときには、その端部それぞれにデッキ板用足を位置合わせして配したときのビス孔に対応する位置と、縦連結部と被縦連結部とを連結させながらデッキ板長さ方向の辺に支持板部の長辺における位置合わせ部を沿わせて配したときのビス孔に対応する位置とに予め足取付孔が設けられていることから、デッキ板に対してデッキ板用足の取付位置と向きを選択できるようになり、デッキ面形成領域において、複数のデッキ板用足をその支持板部の長辺方向と短辺方向との向きを揃えた状態で配置する設計が行なえるようになる。そして、足取付孔が予め穿設されているので、デッキ板用足のビス孔とこの足取付孔とを合わせればビス孔からのビスの捻じ込みに際して、その捻じ込み力を大きな力とすることなく、デッキ板の製作作業が簡単になる。
【００１５】
さらに、デッキ板用足が第一足と第二足とに分離され、デッキ板の板幅に応じて前記分離支持板部の取付方向での寸法を可変とした構成を備えるので、一体型の上記デッキ板用足と同様にして使用することができ、また、デッキ板の板幅が変更されたとしても、第一足と第二足とを位置合わせして取り付けるようにすればよい。よって、板幅が変更されたデッキ板に合わせて一体型のデッキ板用足を新たに用意する必要がなくなり、デッキ板用足の管理が容易になるなど、実用性に優れた効果を奏するものである。
【発明を実施するための最良の形態】
【００１６】
つぎに本発明を図１から図２６に示す実施の形態に基づいて詳細に説明する。
（一体型のデッキ板用足）
図中１はデッキ板用足で、該デッキ板用足１は、板長さ寸法Ｌ１が板幅寸法Ｗ１に目地寸法Ｍ１を加えてなる単位長さ寸法Ｗ０を自然数倍した値から目地寸法Ｍ１を引いた値となる寸法とされたデッキ板２の裏面に取り付け、これによりデッキ部材３が得られるようにしたものである。このデッキ板用足１は切断加工可能な固さの合成樹脂材から形成されていて、図１に示されているように、支持板部４と円柱状支脚部５と円筒状縦連結部６と円柱状被縦連結部７と円筒状横連結部８と円柱状被横連結部９とを備え、これらが一体に形成されている。図４から図７において支持板部４に載せ置かれるデッキ板２を仮想線で示した。
【００１７】
（支持板部）
このデッキ板用足１の上記支持板部４は図２の平面で示されているように長方形（後述する張り出し部を含まない形状）とされ、長辺方向Ａの長さ寸法ａが、デッキ板２の板幅の寸法Ｗ１と同一にし、短辺方向Ｂの長さ寸法ｂが、上記単位長さ寸法Ｗ０の１／２から目地寸法Ｍ１を引いてなる値以下とされ、デッキ板２が乗せ置かれる板状としたものである。そして、以下の円柱状支脚部５、円筒状縦連結部６、円柱状被縦連結部７、円筒状横連結部８、円柱状被横連結部９は後述するようにこの支持板部４の裏面や側方に配置され、それぞれは支持板部４の裏面高さ位置で揃い、この裏面高さ位置から接地位置までの高さ寸法Ｈ１を同一にしている。
【００１８】
（円柱状支脚部）
上記円柱状支脚部５は支持板部４の裏面における一方の短辺１０側にて一対にして設けられ、短辺方向Ｂに沿って並んでいる。円筒状縦連結部６は、支持板部４における上記一方の短辺１０側から長辺方向Ａに突出配置され、支持板部４の一方の短辺１０の裏面から張り出した板部６ａとその板部６ａの端部から下方に延設された円筒部６ｂとからなるものであり、短辺方向Ｂに沿って一対にして並設されている。
【００１９】
（円柱状縦連結部、円柱状被縦連結部）
上記円柱状被縦連結部７は、支持板部４における他方の短辺１０側の裏面に一対にして設けられており、短辺方向Ｂに沿って並設している。この円柱状被縦連結部７は上記円筒状縦連結部６に係脱可能に係止する係止関係を有し、円柱状被縦連結部７それぞれは円筒状縦連結部６における各円筒部６ｂに挿入できる形状に設けられているものであって、デッキ板用足１を支持板部４の長辺方向Ａに並べて一方のデッキ板用足１の円筒状縦連結部６と他方のデッキ板用足１の円柱状被縦連結部７とを対応させ、円筒状縦連結部６（一方のデッキ板用足）に円柱状被縦連結部７（他方のデッキ板用足）を挿入することで両者が係止でき、並べたデッキ板用足１同士が連結される。このような長辺方向Ａでの並設状態で連結が行なえるようにするため、デッキ板用足１単体において、係脱可能に係止する係止関係を有する前記円筒状縦連結部６と円柱状被縦連結部７とは長辺方向Ａにして対応位置している。
【００２０】
（円筒状横連結部、円筒状被横連結部）
円筒状横連結部８は、支持板部４の一方の長辺１１から短辺方向Ｂに突出配置されており、前記一方の長辺１１の裏面から張り出した板部８ａとその板部８ａの端部から下方に延設された円筒部８ｂとからなる。そして、この円筒状横連結部８は支持板部４の長辺方向Ａに離れた状態で一対にして並べ設けられている。
円柱状被横連結部９は上記支持板部４の裏面において長辺方向Ａに沿って一対にして設けられている。円柱状被横連結部９は上記円筒状横連結部８に係脱可能に係止する係止関係を有し、円柱状被横連結部９それぞれは円筒状横連結部８における各円筒部８ｂに挿入できる形状に設けられているものであって、デッキ板用足１を支持板部４の短辺方向Ｂに並べて一方のデッキ板用足１の円筒状横連結部８と他方のデッキ板用足１の円柱状被横連結部９とを対応させ、円筒状横連結部８（一方のデッキ板用足）に円柱状被横連結部９（他方のデッキ板用足）を挿入することで両者が係止でき、支持板部４の短辺方向Ｂに並べたデッキ板用足１同士が連結される。このような短辺方向Ｂでの並設状態で連結が行なえるようにするため、デッキ板用足１単体において、係脱可能に係止する係止関係を有する前記円筒状横連結部８と円柱状被横連結部９とは短辺方向Ｂにして対応位置している。
なお、支持板部４の裏面の円柱状支脚部５、円柱状被縦連結部７、円柱状被横連結部９とはそれぞれ外径が同一である。また、円筒状縦連結部６、円筒状横連結部８それぞれにおける円筒部６ｂ、８ｂの外径は同一であり、内径も同一としている。
【００２１】
（短辺の位置合わせ部）
本デッキ板用足１においては、このデッキ板用足１をデッキ板２の裏面に配するときにデッキ板２の辺部に位置合わせし易いようにし、また、デッキ部材を敷き並べるときにデッキ板周りに目地が適正に得られるようにしている。
図示されているように、上記支持板部４の円筒状縦連結部６が位置している側の短辺１０をその全長に亘って直線状にし、この部分を、デッキ板用足１をデッキ板裏面の取付位置に配したときのデッキ板２の端面に対する位置合わせ用の位置合わせ部１２としている。即ち、デッキ板裏面にこのデッキ板用足１を配する際に、前記支持板部４の一方の短辺１０で構成した位置合わせ部１２とデッキ板裏面の辺部とを位置合わせすれば、デッキ板裏面上において、前記辺部と直交する方向でのデッキ板用足１の位置決めができるようにしている（図６参照）。
【００２２】
（短辺の張り出し部）
支持板部４の他方の短辺１０には張り出し部１３が一体にして設けられている。この張り出し部１３は、その他方の短辺１０全体を支持板部４の長辺方向Ａへ延設したもので、その突出量を目地寸法Ｍ１と同一にして、デッキ板用足１を支持板部４の長辺方向Ａに複数並べたとき（デッキ板用足長辺方向並設時）の隣位する支持板部４側に突き合わして目地間隔を確保するものである（図８参照）。
【００２３】
（長辺の位置合わせ部、張り出し部）
支持板部４の長辺１１それぞれにも上記位置合わせ部１２と張り出し部１３とが設けられている。図２、図３に示されているように長辺１１の両端以外の部分を直線状にしてこの部分を位置合わせ部１２としており、この位置合わせ部１２によりデッキ板用足１をデッキ板裏面の取付位置に配したときのデッキ板２の端面に対する位置合わせを行なえるようにしている。即ち、支持板部４の何れか一方の長辺１１がデッキ板裏面の辺部に沿うようにしてデッキ板用足１を配する際に、デッキ板裏面の辺部とこれに対応している位置合わせ部１２とを位置合わせすれば、デッキ板裏面上でのその辺部と直交する方向においてデッキ板用足１の位置決めが行われる（図７参照）。
また、長辺１１それぞれにおいて上記位置合わせ部１２を間にして張り出し部１３が設けられている。この張り出し部１３は位置合わせ部１２の中央を中心にして対称となるように配置されているとともに、短辺方向Ｂに相対する張り出し部１３の位置関係も支持板部４の長辺方向Ａに沿った中心線Ｃを中心にして対称にしている。
長辺１１における各張り出し部１３は、短辺方向Ｂにその突出量を目地寸法Ｍ１の１／２として突出するように支持板部４に一体となり、デッキ板用足１を支持板部４の短辺方向Ｂに複数並べたとき（デッキ板用足短辺方向並設時）の隣位する支持板部４の張り出し部１３に突き合わして目地間隔を確保する（図９参照）。
【００２４】
（目地）
上述したように複数のデッキ板用足１を支持板部４の長辺方向Ａに沿って並べ、隣り合うデッキ板用足１の内、一方のデッキ板用足１の張り出し部１３を他方のデッキ板１の支持板部４の短辺１０側（即ち、位置合わせ部１２）に突き当て、この状態で一方のデッキ板用足１の円柱状被縦連結部７それぞれが他方のデッキ板用足１の円筒状縦連結部６の円筒部６ｂに挿入されて係止することで、隣り合うデッキ板用足１同士が連結されるようにしているため、デッキ板用足１単体において、円筒状縦連結部６の中心（円筒部６ｂの中心）から円柱状被縦連結部７の中心までのピッチＰｔは単位長さ寸法Ｗ０（＝支持板部４の長辺１１の長さ寸法ａ＋目地寸法Ｍ１）と同一となる（図８参照）。
【００２５】
なお、このように円筒状縦連結部６の中心から円柱状被縦連結部７の中心までのピッチＰｔを単位長さ寸法Ｗ０とすることで、デッキ板用足１それぞれを板幅寸法Ｗ１（Ｗ１＝Ｗ０−Ｍ１）のデッキ板２に後述のように取り付け、デッキ板用足１が長辺方向Ａに並ぶ状態でデッキ部材を並べて連結すれば、長辺方向Ａでのデッキ板２の間で目地が目地寸法Ｍ１として形成されることになるが、挿入操作性を考慮して円筒部６ｂの内径を円柱状被縦連結部７の外径より少し大きくしており、若干のガタ付きが生じ易く適正な目地間隔が確保し難くなる可能性がある。しかし、本実施の例では一方のデッキ板用足１の張り出し部１３が他方のデッキ板用足１の位置合わせ部１２に突き当てて連結するので、長辺方向Ａでのデッキ板２の間には適正な間隔の目地が形成されるようになる。
また、支持板部４の円柱状被縦連結部７が位置する部分を、他方のデッキ板用足１の円筒状縦連結部６の上に乗せ置くようにするが、円筒状縦連結部６と円柱状被縦連結部７とは上述したように共に高さ寸法Ｈ１が同一であるため、円柱状被縦連結部７の上方に位置するデッキ板２を、係止し合う円筒状縦連結部６と円柱状被縦連結部７とで支持する（図８参照）。勿論、通常使用の状態でデッキ面に加わる荷重に対して、全ての円柱状支脚部５、円筒状縦連結部６、円柱状被縦連結部７、円筒状横連結部８、円柱状被横連結部９は座屈などすることなく十分に耐え得る強度を有する。
【００２６】
円筒状横連結部８と円柱状被横連結部９との位置関係についてもつぎのように設定されている。二つのデッキ板用足１を支持板部４の短辺方向Ｂに沿って並べ、隣り合うデッキ板用足１の内、一方のデッキ板用足１の張り出し部１３を他方のデッキ板用足１の支持板部４の張り出し部１３に突き当て、この状態で一方のデッキ板用足１の円柱状被横連結部９それぞれが他方のデッキ板用足１の円筒状横連結部８の円筒部８ｂに挿入されて係止することで、隣り合うデッキ板用足１同士が連結されるようにしているため、デッキ板用足１単体において、円筒状横連結部８の中心（円筒部８ｂの中心）から円柱状被横連結部９の中心までのピッチＰｙは支持板部４の短辺１０の長さ寸法ｂ＋目地寸法Ｍ１となる（図９参照）。
【００２７】
なお、このように円筒状横連結部８の中心から円柱状被横連結部９の中心までのピッチＰｙを、短辺１０の長さ寸法ｂ＋目地寸法Ｍ１とすることで、デッキ板用足１それぞれを上記デッキ板２に後述のように取り付け、デッキ板用足１が短辺方向Ｂに並ぶ状態でデッキ部材２を並べて連結すれば、短辺方向Ｂでのデッキ板２の間で目地が目地寸法Ｍ１として形成されることになるが、やはり挿入操作性を考慮して円筒部８ｂの内径を円柱状被横連結部９の外径より少し大きくしており、若干のガタ付きが生じ易く適正な目地間隔が確保し難くなる可能性がある。しかし、一方のデッキ板用足１の張り出し部１３が他方のデッキ板用足１の張り出し部１３に突き当てて連結するので、短辺方向Ｂでのデッキ板２の間には適正な間隔の目地が形成されるようになる。
また、支持板部４の円柱状被横連結部９が位置する部分を、他方のデッキ板用足１の円筒状横連結部８の上に乗せ置くが、円筒状横連結部８と円柱状被横連結部９とは上述したように共に高さ寸法Ｈ１が同一であるため、円柱状被横連結部９の上方に位置するデッキ板２を、係止し合う円筒状横連結部８と円柱状被横連結部９とで支持する（図９参照）。
【００２８】
上述したように、円筒状横連結部８と円柱状被横連結部９との位置関係について、円筒状横連結部８の中心（円筒部８ｂの中心）から円柱状被横連結部９の中心までのピッチＰｙは支持板部４の短辺１０の長さ寸法ｂ＋目地寸法Ｍ１としている。
ここで、デッキ板２の形状が、（単位寸法Ｗ０−目地寸法Ｍ１）×（単位寸法Ｗ０−目地寸法Ｍ１）の正方形である場合、短辺１０の長さ寸法ｂ＋目地寸法Ｍ１を単位寸法Ｗ０の１／２とすれば、二つのデッキ板用足１をその正方形のデッキ板２に、円筒状横連結部８と円柱状被横連結部９とを係止させて取り付けることができ、それぞれ外方側の長辺１１の張り出し部１３をデッキ板２の裏面の辺部位置から側方に突出する状態にすることができる。
また、図示の例のデッキ板用足１では、短辺１０の長さ寸法ｂ＋目地寸法Ｍ１＜単位寸法Ｗ０の１／２としている。この場合、上記正方形のデッキ板２に二つのデッキ板用足１を取り付ける状態とするときに、一方のデッキ板用足１の円筒状横連結部８と他方のデッキ板用足１の円柱状被横連結部９とが干渉し合わないように、円筒状横連結部８と円柱状被横連結部９の大きさを考慮しながらピッチＰｙ（支持板部４の短辺１０の長さ寸法ｂ＋目地寸法Ｍ１）を設定すればよい。
【００２９】
本デッキ板用足１では短辺１０の張り出し部１３を介して円筒状縦連結部６と円柱状被縦連結部７とを係止させ合いながら長辺方向Ａに並べることができ、また、長辺１１の張り出し部１３同士を突き当てて円筒状横連結部８と円柱状被横連結部９とを係止させ合いながら短辺方向Ｂに並べることができ、よって、例えば図１０に示すように複数のデッキ板用足１を平面上で向きを揃え、その向きを保ったまま必要個所を連結状態で並べることができる。
図１０に示す例ではデッキ板用足１（短辺１０の長さ寸法ｂ＋目地寸法Ｍ１＜単位寸法Ｗ０の１／２）を長辺方向Ａの通りの列では全列を密に連結し、短辺方向Ｂの通りの列では連結状態とした部分と非連結状態とした部分とを交互に形成し、デッキ面を形成する平面に対して仮想として形成した単位長さ寸法Ｗ０を一ピッチとした格子状の基準線Ｅに沿った配置としている。非連結状態で隣り合うデッキ板用足１では、一方のデッキ板用足１の支持板部４の長辺１１の張り出し部１３から他方のデッキ板用足１の支持板部４の長辺１１の張り出し部１３までを単位長さ寸法Ｗ０と同一となるようにし、この両者の上に一枚のデッキ板２が位置できる配置としている。
【００３０】
よって、上述のように縦横に向きを揃えてデッキ板用足１を並べた配置パターンであれば、板幅Ｗ１（単位長さ寸法Ｗ０−目地寸法Ｍ１）のデッキ板をデッキ板用足１と対応付けし、（Ｗ０−Ｍ１）×（Ｗ０−Ｍ１）の正方形のデッキ板から（Ｗ０−Ｍ１）×（ｎ・Ｗ０−Ｍ１）の長方形のデッキ板を用いて、目地を形成しながらの配置が可能であることがわかる。
なお、ｎは自然数であり、１から４位までとするのが施工作業上良好であるが、４以下に限定されるものではない。また、図１０ではデッキ板用足１を縦横に配置できることを示すだけのものであり、デッキ部材を並べたときにデッキ板用足１がこのように密に並ぶようにデッキ板にデッキ板用足１を取り付けておく必要はない。
さらに、デッキ板用足１の並びにおいては、長辺１１側の張り出し部１３を上記基準線Ｅの位置に合わせる状態で並べるパターンに限定されない。図示するように、一つのデッキ板用足１が基準線Ｅ上にあり、この一つのデッキ板用足１が二つのデッキ板用足１それぞれに連結されるようにすることも可能である（図１５参照）。勿論、デッキ板用足１それぞれにおいて、円筒状縦連結部６や円柱状被縦連結部７の短辺方向Ｂの並設ピッチはＰｙ／２である。
【００３１】
本デッキ板用足１の支持板部４における一対の円柱状被横連結部９は支持板部４の長辺方向Ａに沿った中心線Ｃ上に位置し、その円柱状被連結部９それぞれは支持板部４の中央Ｄを中心位置として点対称となる位置に設けられている。
また、デッキ板用足１はデッキ板２に取り付けるビスのビス孔１４を一対有していて、このビス孔１４も中心線Ｃ上に位置し、それぞれが支持板部４の中央Ｄを中心位置として点対称となる位置にある。そして、上記円柱状被横連結部９とビス孔１４とは同位置にあり、上記円柱状被横連結部９の中心それぞれを貫通するようにしてビス孔１４が設けられている。
【００３２】
デッキ板用足１では支持板部４が長方形であり、また、上述したように一対のビス孔１４が中心線Ｃ上にあって、かつ支持板部４の中央Ｄを中心位置として点対称となる位置にあるため、デッキ板用足１の向きを前記中央Ｄを中心位置として１８０度回転させても、回転後のビス孔１４の位置は回転前のビス孔１４の位置に重なるようになる。
従って、以下のようにデッキ板２に適正位置で配置されるデッキ板用足１の向きが１８０度反対であったとしても、デッキ板２に関してはビスが捻じ込まれる位置が変化しないことになる。
例えば、図１１に示すようにデッキ板用足１をデッキ板２の一端部において、デッキ板２の板幅方向と支持板部４の長辺方向Ａとを同じにし、上述した位置合わせ部１２をデッキ板２の辺部に位置合わせした適正配置の状態で、デッキ板用足１の向きが正逆であっても、ビス孔１４から捻じ入れるビスの位置自体は変わらない。
また、図１２に示すように、デッキ板用足１をデッキ板２の板長さ方向に沿うようにし、位置合わせ部１２をデッキ板２の辺部に位置合わせした適正配置の状態で、デッキ板用足１の向きが正逆であっても、ビス孔１４から捻じ入れるビスの位置自体は変わらない。
【００３３】
上記デッキ板用足１において円筒状横連結部８が位置している側の張り出し部１３それぞれには、短辺方向Ｂでデッキ板用足１を連結したときの他方側のデッキ板用足１の張り出し部１３を下方から支える受け爪１５が設けられている。また、短辺１０の張り出し部１３の両側には上方に向けて凸となる突起１６が設けられており、デッキ板用足１をデッキ板２に配する際にこの突起１６をデッキ板２の端面に係止させて、反対側の短辺１０の位置合わせ部１２における位置合わせをより一層行い易くなるようにしている。なお、前記突起１６は、デッキ板用足１をデッキ板２の板長さ方向に複数並べて取り付けるようにするときにはデッキ板２の裏面に突起１６が当接するようになるので、デッキ板端面との係止を行なわない突起については切除する。
【００３４】
（デッキ板）
デッキ板用足１を取り付けてデッキ部材３を形成するデッキ板２は、上述したように板幅寸法Ｗ１が上記単位長さ寸法Ｗ０から目地寸法Ｍ１を引いた値の寸法とされ、板長さ寸法Ｌ１が、単位長さ寸法Ｗ０を自然数倍した値から目地寸法Ｍ１を引いた値となる寸法とされたものであり、図の例ではＬ１＝１・Ｗ０−Ｍ１（＝Ｗ１）、Ｌ１＝２・Ｗ０−Ｍ１、Ｌ１＝４・Ｗ０−Ｍ１の三種類が示されている。
また、このデッキ板２の裏面にはデッキ板用足１をビス止めするときの足取付孔１７が予め設けられていて、デッキ板用足１を取り付けることができる個所として設定された部分それぞれに、デッキ板用足１のビス孔１４に対応するように二個ずつ穿設されている。
まず、図１３（イ）に示されているように、正方形のデッキ板２の各辺部において、デッキ板用足１をその短辺１０の位置合わせ部１２や一方の長辺１１の位置合わせ部１２にて位置合わせしたときのビス孔１４に対向する位置に足取付孔１７が設けられ、また、図１３（ロ）（ハ）に示されているように正方形以外の長方形としたデッキ板２においてもそのデッキ板２の端部側では、そのデッキ板２の短辺部分に沿うデッキ板用足１の長辺１１の位置合わせ部１２と、デッキ板２の長辺部分に沿う短辺１０の位置合わせ部１２とで位置合わせしたときのビス孔１４に対応する位置に足取付孔１７が設けられている。
【００３５】
このように正方形デッキ板の各辺部の寸法や長方形デッキ板の短辺部分の寸法は、単位長さ寸法Ｗ０から目地寸法Ｍ１を引いた値となる寸法であり、この辺に沿わせてデッキ板用足１を配置したときのビス孔１４に対応する位置に足取付孔１７が予め設けられている。そして、デッキ板用足１が沿う辺の中心を通るデッキ板中心線Ｆ上に、デッキ板用足１の支持板部４の中央Ｄが対応位置し（図１１参照）、この中央Ｄを中心にして支持板部４が点対称の形状であり、ビス孔１４も点対称の位置であることから、正方形デッキ板の辺部や長方形デッキ板の短辺部分に配するデッキ板用足１の向きを正逆にしてもビス孔１４と足取付孔１７との位置が一致するようになり、デッキ板用足１を正逆の何れの向きにしても適正位置に簡単に取り付けることができる。
【００３６】
また、長方形のデッキ板２の板長さ方向に支持板部４の長辺方向Ａを合わせながら複数のデッキ板用足１を連結状態にして配する場合に対応できるように図られていて、これらのデッキ板用足１の取付が行い易くなるように足取付孔１７が予め穿設されている。上述したように長方形のデッキ板２の板長さ方向に支持板部４の長辺方向Ａを合わせて複数のデッキ板用足１を連結状態で取り付ける場合、デッキ板２の一端部側の目地通り芯となる基準線Ｅの位置からの板長さ方向での単位長さ寸法Ｗ０ごとにデッキ板用足１を配し、デッキ板２の板長さ方向の辺に支持板部４の長辺１１の位置合わせ部１２を沿わせて位置合わせするものであることから、前記単位長さ寸法Ｗ０ごとの部分に配置としたときのデッキ板用足１それぞれのビス孔１４と対応する位置に足取付孔１７が予め設けられている。即ち、デッキ板２の板長さ方向での前記単位長さ寸法Ｗ０ごとの範囲において、板長さ方向の辺から板幅方向に長さ寸法ｂ／２の位置となる線上に、前記ビス孔１４に対応して足取付孔１７が設けられている。なお、正方形のデッキ板の足取付孔の場合や、長方形のデッキ板の短辺部分に沿って並ぶ足取付孔の場合も、辺からｂ／２だけデッキ板中心側に寄った位置にあることには変りがない。
そして、この場合も前記単位長さ寸法Ｗ０ごとの範囲（支持板部４の対応部分ごとの範囲）において、その中心が支持板部４の中心Ｄと対応するため、デッキ板用足１の向きを正逆にしてもビス孔１４の位置と足取付孔１７の位置とが一致し、複数のデッキ板用足１が連結した一連の状態でその向きを正逆の何れの向きの場合でも、それぞれのデッキ板用足１を適正位置に簡単に取り付けることができるようにしている。
【００３７】
さらにデッキ板２において、図示するようにデッキ板２の一端部側の目地通り芯となる基準線Ｅの位置からの板長さ方向での単位長さ寸法Ｗ０ごとの何れかの位置に、支持板部４の長辺方向Ａの中心線Ｃを合わせ、かつ支持板部４の短辺１０の位置合わせ部１２をデッキ板２の辺部（長辺）に位置合わせしてデッキ板用足１を配したときのビス孔１４に対応する位置に足取付孔１７を穿設するようにしてもよく、図１３（ハ）で示した板長さが単位長さ寸法の約四倍となる横長のデッキ板２（Ｌ１＝４・Ｗ０−Ｍ１）では、デッキ板２の板長さ方向での中央位置に、長辺方向Ａを板幅方向に向けたデッキ板用足１を配したときのビス孔１４に対応する位置に足取付孔１７を予め設けている。
勿論、基準線Ｅの位置からの単位長さ寸法Ｗ０ごとの位置に上記足取付孔１７を予め穿設しておいてもよい。
【００３８】
上記構造のデッキ板２に複数の上記デッキ板用足１をその取付位置と向きを選択して取り付けることによりデッキ部材３が得られる。そしてデッキ面は複数のデッキ部材３を連結することで形成でき、デッキ板２の配置に変化を持たせるときには、予めデッキ面形成領域でのデッキ板２の配置を設計し、支持板部４の長辺方向Ａと短辺方向Ｂとの向きを揃えながら複数のデッキ板用足１の配置を前記デッキ板２の配置に合わせて設計し、それらの設計に基づきながらデッキ施工時にデッキ板２にデッキ板用足１を取り付けてデッキ部材３を製作し、或いは事前にデッキ部材３を製作しておき、複数のデッキ部材３を連結させながら敷くことによりデッキ面が形成できる。
【００３９】
例えば、四倍長（Ｌ１＝４・Ｗ０−Ｍ１）のデッキ板を板幅方向に二本並設し、その並設方向に、二倍長（Ｌ１＝２・Ｗ０−Ｍ１）のデッキ板を板長さ方向に並べて四倍長のデッキ板一本分に相当させた状態のものを順次並べるとともに、前記四倍長のデッキ板の一端部側に、板長さ方向を９０度変えた二倍長のデッキ板を順次並べるデザインを得る事例を説明する。図１４は前述した四倍長と二倍長のデッキ板２の配置を示している。そして、この配置に応じて、支持板部４の長辺方向Ａと短辺方向Ｂとの向きを揃えながら複数のデッキ板用足１の配置を図１５に示すように設計している。
【００４０】
この事例の場合、四倍長のデッキ板２の板長さ方向とデッキ板用足１の長辺方向Ａとは直交する関係としている。
四倍長のデッキ板２それぞれが位置する部分には、その両端部と中央とに対応するデッキ板用足１が配置されるように設計する。
四倍長のデッキ板２に板長さ方向を揃えて並設する二倍長のデッキ板２それぞれが位置する部分には、その両端部に対応するデッキ板用足１が配置されるように設計する。四倍長のデッキ板２の中央となる一つのデッキ板用足１は、二倍長のデッキ板２の端部同士の対面部分における二つのデッキ板用足１の両者に連結させる設計とする。
四倍長のデッキ２に板長さ方向を９０度変えて揃える二倍長のデッキ板２それぞれが位置する部分には、その二倍長のデッキ板２の長辺部分それぞれに二つのデッキ板用足１を連結状態にして配する設計とする。
【００４１】
上記複数種のデッキ板２の配置設計とデッキ板用足１の配置設計とに基づきながら、デッキ板２それぞれにデッキ板用足１をビス止めして、四倍長のデッキ部材３、二つのデッキ板用足１を有する二倍長のデッキ部材３、四つのデッキ板用足１を有する二倍長のデッキ部材３を製作し、図１６に示すように各デッキ部材３を相互に連結させることで、設計通りにデッキ板２が並ぶデッキ面が形成される。図示されているようにデッキ面ではデッキ板の長さと向きに変化があってデザインの自由度が極めて高いものとなる。また、目地の変化によってデッキ板の長さと向きの変化が強調され、デッキ板と目地とでデザインされた文様などをデッキ面全体に際立たせることが簡単になる。
【００４２】
四倍長のデッキ板２の中央に位置するデッキ板用足１は、上述したように、その四倍長のデッキ板２の一端部側の目地通り芯の位置からの板長さ方向での単位長さ寸法Ｗ０の二倍の位置で位置合わせして取り付けられているため、二本の二倍長のデッキ板２を連結している二つのデッキ板用足１の両者に適正に連結される。
また、四倍長のデッキ板２に対して板長さ方向を９０度としている二倍長のデッキ板にあっても、取り付けられているデッキ板用足１自体は、デッキ板用足１全体の向きと同じに揃えられているため、四倍長のデッキ板２の端部に位置するデッキ板用足１それぞれに適正に連結することになる。
【００４３】
上述したようにデッキ板２の長さと向きを選択できるものとなっていることから、以下に示す色々なデッキ面が形成できる。例えば、図１７（イ）は、四倍長のデッキ板からなるデッキ部材３を、デッキ板２の板長さ方向と板幅方向とが揃うように配置したパターン部分を示めしている。
図１７（ロ）は、四倍長のデッキ板のデッキ部材３を板幅方向に並設し板長さ方向に複数を並べた二列部分を組とし、この組を板長さ方向にずらすとともに、端部を揃えるために二倍長のデッキ板のデッキ部材３を組み入れたパターン部分を示している。
図１７（ハ）は、二倍長のデッキ板のデッキ部材３を板幅方向に二つ並設したものを組とし、その組の向きを９０度変えたものを交互に配置したパターン部分を示している。
図１７（ニ）は、正方形のデッキ板を備えるデッキ部材３を並べたパターン部分を示している。
図１７（ホ）は、正方形のデッキ板のデッキ部材３を二倍長のデッキ板のデッキ部材３四つで囲み、これを四倍長のデッキ板のデッキ部材３で囲む配置としたパターン部分を示している。
このようにいろいろにデッキ部材３を配置することができ、デッキ面の表情を豊かにすることが容易である。
なお、デッキ部材の敷設に際し、敷設スペース周縁で円筒形縦連結部や円筒形横連結部が突出している部分ではこれを切除して、敷設スペース周辺の納まりを整えている。
【００４４】
上記実施の形態では、デッキ板２としてＬ１＝１・Ｗ０−Ｍ１のもの（正方形）と、Ｌ１＝２・Ｗ０−Ｍ１のもの（二倍長）と、Ｌ１＝４・Ｗ０−Ｍ１のもの（四倍長）を示したが、本発明は実施の形態に限定されるものでない。
【００４５】
（分割型デッキ板用足）
上記実施の形態のデッキ板用足１では、上述したように支持板部４の長辺方向Ａの長さ寸法ａをデッキ板２の板幅の寸法Ｗ１と同一としており、デッキ板２の板幅の寸法に応じたデッキ板用足が用意されているものである。これに対して、デッキ板用足１を、円筒状縦連結部を備えている部分と円柱状被縦連結部とを備えている部分とに分割されているものとすれば、デッキ板２の板幅の寸法が変わった場合にも対応することが可能となる。
図１８から図２６はその分割型としたデッキ板用足１を示していて、つぎにその説明を行なう。なお、分割型のデッキ板用足１において縦連結部と被縦連結部との係止関係、及び横連結部と被横連結部との係止関係は、以下に示すように上述した実施の形態と同様である。またこの分割型のデッキ板用足１を取り付けるデッキ板２については説明を容易にするために上述した実施の形態に基づいて説明する。
【００４６】
このデッキ板用足１は、上記実施の形態のデッキ板用足１と同じように、それぞれの周囲に目地を配して並べるデッキ板２に用いられるものであって、板長さ寸法Ｌ１が板幅寸法Ｗ１に目地寸法Ｍ１を加えてなる単位長さ寸法Ｗ０を自然数倍した値から目地寸法Ｍ１を引いた値となる寸法とされた前記デッキ板２の裏面に取り付け、これによりデッキ部材３が得られるようにしたものである。
このデッキ板用足１は上記実施の形態と同じように切断加工可能な固さの合成樹脂材から形成されている。そして、デッキ板２の板幅方向または板長さ方向を取付方向Ｘとし、図１８に示されているようにその取付方向Ｘにおいて間を離してそれぞれがデッキ板２に取り付けられる第一足２０と第二足３０とからなるものであり、この第一足２０と第二足３０との一組で一つのデッキ板用足２を構成している。
上記第一足２０は、デッキ板２が乗せ置かれる第一支持板部２１と対となった第一円柱状支脚部２２と対となった第一円筒状縦連結部２３と第一円筒状横連結部２４と第一円柱状被横連結部２５とを備え、これらが一体に形成されている。
また、第二足３０は、デッキ板２が乗せ置かれる第二支持板部３１と対となった第二円柱状被縦連結部３２と第二円筒状横連結部３３と第二円柱状被横連結部３４とを備え、これらが一体に形成されている。
【００４７】
（第一足と第二足の第一、第二支持板部）
図１９では第一足４と第二足５とを組とした一つのデッキ板用足１を上方からみた状態で示し、図２０では下方からみた状態で示している。第一足２０の第一支持板部２１および第二足３０の第二支持板部３１はそれぞれ略正方形（後述する張り出し部を含まない部分）とされ、取付方向Ｘでの長さ寸法ａ２０、ａ３０をデッキ板２の板幅の寸法Ｗ１の１／２以下にし、前記取付方向Ｘの直交方向Ｙでの長さ寸法ｂが、上記単位長さ寸法Ｗ０の１／２から目地寸法Ｍ１を引いてなる値以下とされ、デッキ板２が乗せ置かれる板状としたものである。
これによって、第一支持板部２１と第二支持板部３１にデッキ板２を乗せ置いている状態の図２１と図２３とに示されるように、デッキ板用足１をデッキ板２の板幅方向に沿って取り付ける場合、組としての第一足２０と第二足３０とを後述する位置にすれば、取付方向Ｘがデッキ板２の板幅方向であっても第一支持板部２１と第二支持板部３１とが重なることがないように設けられている。
なお、後述する係止関係はデッキ板用足１の取付方向Ｘがデッキ板２の板幅方向であった場合と板長さ方向であった場合の何れでも成立するものであるが、その係止関係の説明を容易にするために、デッキ板２の端部において板幅方向を取付方向Ｘとし、図２１と図２３とに示すように第一足２０と第二足３０とが位置合わせたれた状態でデッキ板２に取り付けられているものとして説明している。
【００４８】
上述した第一足２０と第二足３０とを組とするデッキ板用足１は、このデッキ板用足１を取付方向Ｘや直交方向Ｙに並べたときに隣り合うデッキ板用足１で連結することができるように設けられているもので、この連結が可能となるようにするために第一足２０と第二足３０との上記連結部と被連結部の位置が以下のように設定されている。
なお、第一足２０の第一円柱状支脚部２２、第一円筒状縦連結部２３、第一円筒状横連結部２４、第一円柱状被横連結部２５、及び第二足３０の第二円柱状被縦連結部３２、第二円筒状横連結部３３、第二円柱状被横連結部３４それぞれは、第一支持板部２１及び第二支持板部３１の裏面高さ位置で揃い、この裏面高さ位置から接地位置までの高さ寸法Ｈ１を同一にしている。
【００４９】
（第一足の第一円柱状支脚部と第一円筒状縦連結部）
第一足２０の第一円柱状支脚部２２は第一支持板部２１の裏面での取付方向Ｘにおける第二足３０側とは反対の辺２６側にて一対にして設けられ、取付方向Ｘに対する直交方向Ｙに沿って並んでいる。
また、第一円筒状縦連結部２３は、第一支持板部２１における上記辺２６側から第二足３０とは反対方向に突出配置され、第一支持板部２１の前記辺２６の裏面から張り出した板部２３ａとその板部２３ａの端部に連続して下方に延設された円筒部２３ｂとからなるものであり、直交方向Ｙに沿って一対にして並設されている。
（第二足の第二円柱状被縦連結部）
第二足３０の第二円柱状被縦連結部３２は、第二支持板部３１における第一足２０側とは反対の辺３５（仮想線部分）側の裏面に一対にして設けられており、直交方向Ｙに沿って並設している。
（第一足の第一円筒状縦連結部と第二足の第二円柱状被縦連結部との係止関係）
上記第二足３０の第二円柱状被縦連結部３２は、取付方向Ｘにおいて上記第一足２０の第一円筒状縦連結部２３に係脱可能に係止する係止関係を有し、第二円柱状被縦連結部３２それぞれは第一円筒状縦連結部２３における各円筒部２３ｂに挿入できる形状に設けられているものであって、デッキ板２の端部での板幅方向が取付方向Ｘとなるようにして、かつ第一足２０と第二足３０とをデッキ板２に対して位置合わせした状態でデッキ板用足１を取り付け、そのデッキ板２を、デッキ板用足１が取付方向Ｘで揃うように並べて一方のデッキ板用足１の第一足２０の第一円筒状縦連結部２３と他方のデッキ板用足１の第二足３０の第二円柱状被縦連結部３２とを対応させ、第一円筒状縦連結部２３（一方のデッキ板用足）に第二円柱状被縦連結部３２（他方のデッキ板用足）を挿入することで両者が係止でき、並べたデッキ板用足１同士が連結される。このような取付方向Ｘでの並設状態で連結が行なえるようにするため、デッキ板用足１単体において、係脱可能に係止する係止関係を有する前記第一円筒状縦連結部２３と第二円柱状被縦連結部３２とは取付方向Ｘにして対応位置している。
【００５０】
（第一足の第一円筒状横連結部）
第一足２０の第一円筒状横連結部２４は、第一支持板部２１での直交方向Ｙにおける一方の辺２７から直交方向Ｙに突出配置されており、前記一方の辺２７の裏面から張り出した板部２４ａとその板部２４ａの端部に連続して下方に延設された円筒部２４ｂとからなる。
（第一足の第一円柱状被横連結部）
第一足２０の第一円柱状被横連結部２５は、第一足２０の上記第一円筒状横連結部２４に係脱可能に係止する係止関係を有し、第一円筒状横連結部２４における円筒部２４ｂに挿入できる形状に設けられているものである。
（第二足の第二円筒状横連結部）
第二足３０の第二円筒状横連結部３３は、第二支持板部３１での直交方向Ｙにおける一方（第一足２０における上記辺２７側と同じ側）の辺３６から直交方向Ｙに突出配置されており、前記一方の辺３６の裏面から張り出した板部３３ａとその板部３３ａの端部に連続して下方に延設された円筒部３３ｂとからなる。
（第二足の第二円柱状被横連結部）
第二足３０の第二円柱状被横連結部３４は、第二足３０の上記第二円筒状横連結部３３に係脱可能に係止する係止関係を有し、第二円筒状横連結部３３における円筒部３３ｂに挿入できる形状に設けられているものである。
（第一、第二円筒状横連結部と第一、第二円柱状被横連結部の係止関係）
上述したように、第一円柱状被横連結部２５と第一円筒状横連結部２４とが直交方向Ｙで対応して係脱可能に係止する係止関係を有し、また、第二円柱状被横連結部３４と第二円筒状横連結部３３とが直交方向Ｙで対向して係脱可能に係止する係止関係を有することから、デッキ板２の端部での板幅方向が取付方向Ｘとなるようにして、かつ第一足２０と第二足３０とをデッキ板２に対して位置合わせした状態でデッキ板用足１を取り付け、そのデッキ板２を、デッキ他用足１が直交方向Ｙで揃うように並べて一方のデッキ板用足１の第一、第二円筒状横連結部２４、３３と他方のデッキ板用足１の第一、第二円柱状被横連結部２５、３４とを対応させ、第一、第二円筒状横連結部２４、３３（一方のデッキ板用足）に第一、第二円柱状被横連結部２５、３４（他方のデッキ板用足）を挿入することで両者が係止でき、直交方向Ｙに並べたデッキ板用足１同士が連結される。この直交方向Ｙでの並設状態で連結が行なえるようにするため、デッキ板用足１単体において、係脱可能に係止する係止関係を有する第一、第二円筒状横連結部２４、３３と第一第二円柱状被横連結部２５、３４とが上述したように直交方向Ｙで対応位置している。
【００５１】
なお、第一円柱状支脚部２１、第二円柱状被縦連結部３２、第一、第二円柱状被横連結部２５、３４とはそれぞれ外径が同一である。また、第一円筒状縦連結部２３、第一、第二円筒状横連結部２４、３３それぞれにおける円筒部２３ｂ、２４ｂ、３３ｂの外径は同一であり、内径も同一としている。
【００５２】
本デッキ板用足１においては、第一足２０と第二足３０とをデッキ板２の裏面に配するときにデッキ板２の辺部に位置合わせし易いようにし、また、デッキ部材を敷き並べるときにデッキ板周りに目地が適正に得られるようにしている。この点も上述した実施の形態と同様の構成を備えている。
図示されているように、第一足２０にあっては、第一支持板部２１の第一円筒状縦連結部２３が位置している側の辺２６をその全長に亘って直線状にし、この部分を、第一足２０をデッキ板裏面の取付位置に配したときのデッキ板２の端面に対する位置合わせ部１９としている。即ち、デッキ板裏面に第一足２０を配する際に、第一支持板部２１の辺２６で構成した位置合わせ部１９とデッキ板裏面の辺部とを位置合わせすれば、デッキ板裏面上において、前記辺部と直交する方向での第一足２０の位置決めができるようにしている（図２３参照）。
また、第二足３０にあっても、第二支持板部３１の第二円柱状被縦連結部３２が位置している側の辺３５（仮想線で示す部分）の延長両端それぞれを後述の張り出し部端としてなる短寸の位置合わせ部１９とし、この部分を、第二足３０をデッキ板裏面の取付位置に配したときのデッキ板２の端面に対する位置合わせの目安とする。即ち、デッキ板裏面に第二足３０を配する際に、第二支持板部３１の両位置合わせ部１９とデッキ板裏面の辺部とを位置合わせすれば、デッキ板裏面上において、前記辺部と直交する方向での第二足３０の位置決めができるようにしている
【００５３】
第二足３０の第二支持板部３１の辺３５には張り出し部１３が一体にして設けられている。この張り出し部１３は、その辺３５全体を、第二支持板部３１の取付方向Ｘにおける第一足２０側とは反対側に延設したもので、その突出量を目地寸法Ｍ１と同一にして、デッキ板用足１を取付方向Ｘに複数並べたとき（デッキ板用足取付方向並設時）の隣位するもう一つのデッキ板用足１の第一足２０の第一支持板部２１の対向辺、即ち、上記辺２６に突き合わして目地間隔を確保するものである（図２５参照）。
【００５４】
また、第一足２０の第一支持板部２１の直交方向Ｙで対向する一方の辺２７と他方の辺２８、そして、第二足３０の第二支持板部３１の直交方向で対向する一方の辺３６と他方の辺３７それぞれにも上記位置合わせ部１９と張り出し部１３とが設けられている。図１９、図２０に示されているように第一支持板部２１では辺２７と辺２８とにおける第二足３０側を、また、第二支持板部３１では辺３６と辺３７とにおける第一足２０側を直線状にしてこの部分を位置合わせ部１８としており、この位置合わせ部１９により第一足２０、第二足３０をデッキ板裏面の取付位置に配したときのデッキ板２の端面に対する位置合わせを行なえるようにしている。即ち、第一足２０と第二足３０とのそれぞれにおいて、デッキ板裏面の辺部側となる辺２７、３６或いは辺２８、３７をそのデッキ板裏面の辺部に沿うようにして第一足２０、第二足３０を配する際に、デッキ板裏面の辺部とこれに対応している位置合わせ部１９とを位置合わせすれば、デッキ板裏面上でのその辺部と直交する方向において第一足２０、第二足３０の位置決めが行われる（図２４では一方の位置合わせ状態を示している）。
また、辺２７、３６、２８、３７それぞれにおいて張り出し部１３が設けられている。これらの張り出し部１３は辺２６、３５の位置から取付方向Ｘに沿って同寸法の長さとされていて、直交方向Ｙに相対する張り出し部１３の位置関係が第一、第二支持板部２１、３１の取付方向Ｘに沿った中心線Ｃを中心にして線対称となるようにしている。
さらに辺２７、３６、２８、３７の各張り出し部１３は、直交方向Ｙにその突出量を目地寸法Ｍ１の１／２として突出するようにして第一、第二支持板部２１、３１に一体となり、デッキ板用足１を直交方向Ｙに複数並べたとき（デッキ板用足直交方向並設時）の隣位するデッキ板用足１の張り出し部１３に突き合わして目地間隔を確保する（図２６参照）。
【００５５】
上述したように複数のデッキ板用足１を取付方向Ｘに沿って並べ、隣り合うデッキ板用足１の内、一方のデッキ板用足１の第二足３０の張り出し部１３を他方のデッキ板用足１の第一支持板部２１の辺２６側（即ち、位置合わせ部１９）に突き当て、この状態で一方のデッキ板用足１の第二足３０の第二円柱状被縦連結部３２それぞれが他方のデッキ板用足１の第一足２０の第一円筒状縦連結部２３の円筒部２３ｂに挿入されて係止することで、隣り合うデッキ板用足１同士が連結されるようにしているため、デッキ板用足１の取付方向Ｘをデッキ板２の板幅方向として第一足２０と第二足３０とを上述のように位置合わせして取り付ければ、一組のデッキ板用足１において、第一円筒状縦連結部２３の中心（円筒部２３ｂの中心）から第二円柱状被縦連結部３２の中心までのピッチＰｔは単位長さ寸法Ｗ０と同一となる（図２５参照）。
【００５６】
第一円筒状縦連結部２３の中心から第二円柱状被縦連結部３２の中心までのピッチＰｔが単位長さ寸法Ｗ０となるようにしてデッキ板用足１それぞれを板幅寸法Ｗ１（Ｗ１＝Ｗ０−Ｍ１）のデッキ板２に後述のように取り付け、デッキ板用足１が取付方向Ｘに並ぶ状態でデッキ部材を並べて連結すれば、取付方向Ｘでのデッキ板２の間で目地が目地寸法Ｍ１として形成されることになるが、挿入操作性を考慮して円筒部２３ｂの内径を第二円柱状被縦連結部３２の外径より少し大きくしており、若干のガタ付きが生じ易く適正な目地間隔が確保し難くなる可能性がある。しかし、本実施の例では一方のデッキ板用足１の張り出し部１３が他方のデッキ板用足１の位置合わせ部１９に突き当てて連結するので、取付方向Ｘでのデッキ板２の間には適正な間隔の目地が形成されるようになる。
また、第二足３０の第二円柱状被縦連結部３２が位置する部分を、他方のデッキ板用足１の第一足２０の第一円筒状縦連結部２３の上に乗せ置くようにするが、第一円筒状縦連結部２３と第二円柱状被縦連結部３２とは上述したように共に高さ寸法Ｈ１が同一であるため、第二円柱状被縦連結部３２の上方に位置するデッキ板２を、係止し合う第一円筒状縦連結部２３と第二円柱状被縦連結部３２とで支持する（図２５参照）。勿論、通常使用の状態でデッキ面に加わる荷重に対して、第一円柱状支脚部２２、第一円筒状縦連結部２３、第二円柱状被縦連結部３２、第一円筒状横連結部２４、第二円筒状横連結部３３、第一円柱状被横連結部２５、第二円柱状被横連結部３４は座屈などすることなく十分に耐え得る強度を有する。
以上の構成は上述の実施の形態と同じである。
【００５７】
第一、第二円筒状横連結部２４、３３と第一、第二円柱状被横連結部２５、３４との位置関係についてもつぎのように設定されている。二つのデッキ板用足１を直交方向Ｙに沿って並べ、隣り合うデッキ板用足１の内、一方のデッキ板用足１の張り出し部１３を他方のデッキ板１の張り出し部１３に突き当て、この状態で一方のデッキ板用足１の第一、第二円柱状被横連結部２５、３４それぞれが他方のデッキ板用足１の第一、第二円筒状横連結部２４、３３の円筒部２４ｂ、３３ｂに挿入されて係止することで、隣り合うデッキ板用足１同士が連結されるようにしているため、デッキ板用足１の取付方向Ｘをデッキ板２の板幅方向として第一足２０と第二足３０とを上述のように位置合わせして取り付ければ、一組のデッキ板用足１において、第一、第二円筒状横連結部２４、３３の中心（円筒部２４ｂ、３３ｂの中心）から第一、第二円柱状被横連結部２５、３４の中心までのピッチＰｙは、第一、第二支持板部２１、３１の辺２６、３５の長さ寸法ｂ＋目地寸法Ｍ１となる。図２６では第一足２０側での連結を断面で示しているが、第二足３０においても同様である。
【００５８】
なお、このように第一、第二円筒状横連結部２４、３３の中心から第一、第二円柱状被横連結部２５、３４の中心までのピッチＰｙを、辺２６、３５の長さ寸法ｂ＋目地寸法Ｍ１とすることで、デッキ板用足１それぞれを上記デッキ板２に後述のように取り付け、デッキ板用足１が直交方向Ｙに並ぶ状態でデッキ部材２を並べて連結すれば、直交方向Ｙでのデッキ板２の間で目地が目地寸法Ｍ１として形成されることになるが、やはり挿入操作性を考慮して円筒部２４ｂ、３３ｂの内径を第一、第二円柱状被横連結部２５、３４の外径より少し大きくしており、若干のガタ付きが生じ易く適正な目地間隔が確保し難くなる可能性がある。しかし、一方のデッキ板用足１の張り出し部１３が他方のデッキ板用足１の張り出し部１３に突き当てて連結するので、直交方向Ｙでのデッキ板２の間には適正な間隔の目地が形成されるようになる。
また、第一、第二支持板部２１、３１の第一、第二円柱状被横連結部２５、３４が位置する部分を、他方のデッキ板用足１の第一、第二円筒状横連結部２４、３３の上に乗せ置くが、第一、第二円筒状横連結部２４、３３と第一、第二円柱状被横連結部２５、３４とは上述したように共に高さ寸法Ｈ１が同一であるため、第一、第二円柱状被横連結部２５、３４の上方に位置するデッキ板２を、係止し合う第一、第二円筒状横連結部２４、３３と第一、第二円柱状被横連結部２５、３４とで支持する（図２６参照）。
【００５９】
上述したように、第一、第二円筒状横連結部２４、３３と第一、第二円柱状被連結部２５、３４との位置関係について、第一、第二円筒状横連結部２４、３３の中心（円筒部２４ｂ、３３ｂの中心）から第一、第二円柱状被横連結部２５、３４の中心までのピッチＰｙは第一、第二支持板部２１、３１の辺２６、３５の長さ寸法ｂ＋目地寸法Ｍ１としている。
ここで、デッキ板２の形状が、（単位寸法Ｗ０−目地寸法Ｍ１）×（単位寸法Ｗ０−目地寸法Ｍ１）の正方形である場合、辺２６、３７の長さ寸法ｂ＋目地寸法Ｍ１を単位寸法Ｗ０の１／２とすれば、二つのデッキ板用足１をその正方形のデッキ板２に、第一、第二円筒状横連結部２４、３３と第一、第二円柱状被横連結部２５、３４とを係止させて取り付けることができ、デッキ板２の中央側で対向し合う張り出し部１３とは反対側の張り出し部１３それぞれをデッキ板２の裏面の辺部位置から側方に突出する状態にすることができる。
また、図示の例のデッキ板用足１では、辺２６、３７の長さ寸法ｂ＋目地寸法Ｍ１＜単位寸法Ｗ０の１／２としている。この場合、上記正方形のデッキ板２に二つのデッキ板用足１を取り付ける状態とするときに、一方のデッキ板用足１の第一、第二円筒状横連結部２４、３３と他方のデッキ板用足１の第一、第二円柱状被横連結部２５、３４とが干渉し合わないように、第一、第二円筒状横連結部２４、３３と第一、第二円柱状被横連結部２５、３４の大きさを考慮しながらピッチＰｙ（辺２６、３７の長さ寸法ｂ＋目地寸法Ｍ１）を設定すればよい。
【００６０】
上記第一足２０と第二足３０の第一、第二支持板部１、３１における第一、第二円柱状被横連結部２５、３４は、第一、第二支持板部２１、３１の取付方向Ｘに沿った中心線Ｃ上に位置している。そして、第一、第二円柱状被連結部２５、３４それぞれは、分離して離れている第一、第二支持板部２１、３１からなる分離支持板部４０（第一、第二支持板部２１、３１の辺２６、辺３５、辺２７、３６の延長線（辺２７と辺３６の延長線は互いに重なる）、辺２８、３７の延長線（辺２８と辺３７の延長線は互いに重なる）から想定される長方形）の中央Ｄを中心位置として点対称となる位置に設けられている。
第一足２０と第二足３０とは、デッキ板２に取り付けるビスのビス孔１４を有していて、このビス孔１４も中心線Ｃ上に位置し、それぞれが上記分離支持板部４０の中央Ｄを中心位置として点対称となる位置にある。そして、上記第一、第二円柱状被横連結部２５、３４とビス孔１４とは同位置にあり、第一、第二円柱状被横連結部２５、３４の中心それぞれを貫通するようにしてビス孔１４が設けられている。
【００６１】
上述したように、ビス孔１４が、第一、第二支持板部２１、３１の中心線Ｃ上にあり、そして、分離支持板部４０の中央Ｄを中心位置として点対称となる位置にあるため、第一足２０と第二足３０の組からなるデッキ板用足１の向きを前記中央Ｄを中心位置として１８０度回転させても、回転後のビス孔１４の位置は回転前のビス孔１４の位置に重なるようになる。これにより、デッキ板２に適正位置で配置されるデッキ板用足１の向きが１８０度反対であったとしても、デッキ板２に関してはビスが捻じ込まれる位置が変化しないことになる。さらに、第一支持板部２１のおける辺２６からその第一支持板部２１のビス孔１４までの距離と、第二支持板部３１のおける辺３５からその第二支持板部３１のビス孔１４までの距離とを、先に示したデッキ板用足１の短辺１０からビス孔１４までの距離と同じに設けられており、従って、先の説明した足取付孔１７を備えるデッキ板２に対して、先に示したデッキ板用足１と同様にして取り付けることができ、この第一足２０と第二足３０とからなるデッキ板用足１を取り付けたデッキ部材を用いて同様のデッキ面を形成できるものとなる。
【００６２】
また、第一、第二円筒状横連結部２４、３３が位置している側の張り出し部１３それぞれには、直交方向YＹでデッキ板用足１を連結したときの他方側のデッキ板用足１の張り出し部１３を下方から支える受け爪１５が設けられているとともに、第二支持板部３１の辺３５の張り出し部１３の両側には上方に向けて凸となる突起１６が設けられており、第二足３０をデッキ板２に配する際にこの突起１６をデッキ板２の端面に係止させて位置合わせをより一層行い易くなるようにしている。これらの点も上述した実施の形態と同様である。
【００６３】
分割された上記デッキ板用足１は先の実施の形態のデッキ板用足１と同様にして使用することができる。また、第一足２０と第二足３０とに分離されていることから、デッキ板の板幅に応じて上記分離支持板部４０の取付方向Ｘでの寸法を可変とした構成を備えるものとなり、デッキ板２の板幅が変更されたとしても、第一足２０と第二足３０とを上述したように位置合わせして取り付けるようにすればよく、板幅が変更されたデッキ板に合わせて一体型のデッキ板用足を新たに用意する必要がなくなり、デッキ板用足の管理が容易になる。
【図面の簡単な説明】
【００６４】
【図１】本発明に係るデッキ板用足の一例を上下反転した状態で示す説明図である。
【図２】一例の上面を示す説明図である。
【図３】一例の下面を示す説明図である。
【図４】支持板部長辺側から見た側面を示す説明図である。
【図５】支持板部短辺側から見た側面を示す説明図である。
【図６】図３Ｘ−Ｘ線に沿った断面を示す説明図である。
【図７】図３Ｙ−Ｙ線に沿った断面を示す説明図である。
【図８】円筒状縦連結部と円柱状被縦連結部との係止状態を断面で示す説明図である。
【図９】円筒状横連結部と円柱状被横連結部との係止状態を断面で示す説明図である。
【図１０】基準線に沿ったデッキ板用足の配置を示す説明図である。
【図１１】デッキ板用足の取付向きの正逆を示す説明図である。
【図１２】同じくデッキ板用足の取付向きの正逆を示す説明図である。
【図１３】デッキ板を示すもので、（イ）は正方形デッキ板の裏面を示す説明図、（ロ）は二倍長のデッキ板の裏面を示す説明図、（ハ）は四倍長のデッキ板の裏面を示す説明図である。
【図１４】デッキ板の配置設計をデッキ板上面側から見た状態で示す説明図である。
【図１５】デッキ板用足の配置設計を下面から見た状態で示す説明図である。
【図１６】デッキ部材の敷設を示す説明図である。
【図１７】デッキ部材の配置例を示す説明図である。
【図１８】本発明に係るデッキ板用足の分割型の例を上下反転した状態で示す説明図である。
【図１９】分割型の例の上面を示す説明図である。
【図２０】分割型の例の下面を示す説明図である。
【図２１】直交方向から見た側面を示す説明図である。
【図２２】取付方向から見た側面を示す説明図である。
【図２３】図２０イ−イ線に沿った断面を示す説明図である。
【図２４】図２０ロ−ロ線に沿った断面を示す説明図である。
【図２５】円筒状縦連結部と円柱状被縦連結部との係止状態を断面で示す説明図である。
【図２６】円筒状横連結部と円柱状被横連結部との係止状態を断面で示す説明図である。
【図２７】従来例を示す説明図である。
【符号の説明】
【００６５】
１…デッキ板用足
２…デッキ板
３…デッキ部材
４…支持板部
５…円柱状支脚部
６…円筒状縦連結部
７…円柱状縦被連結部
８…円筒状横連結部
９…円柱状被横連結部
Ｗ０…単位長さ寸法
Ｗ１…板幅寸法
Ｍ１…目地寸法
１０…短辺
１１…長辺
１２…位置合わせ部
１３…張り出し部
１４…ビス孔
１７…足取付孔
２０…第一足
２１…第一支持板部
２２…第一円柱状支脚部
２３…第一円筒状縦連結部
２４…第一円筒状横連結部
２５…円柱状被横連結部
３０…第二足
３１…第二支持板部
３２…第二円柱状被縦連結部
３３…第二円筒状横連結部
３４…第二円柱状被横連結部
４０…分割支持板部
【図１】
2004183473.tif 000003
【図２】
2004183473.tif 000004
【図３】
2004183473.tif 000005
【図４】
2004183473.tif 000006
【図５】
2004183473.tif 000007
【図６】
2004183473.tif 000008
【図７】
2004183473.tif 000009
【図８】
2004183473.tif 000010
【図９】
2004183473.tif 000011
【図１０】
2004183473.tif 000012
【図１１】
2004183473.tif 000013
【図１２】
2004183473.tif 000014
【図１３】
2004183473.tif 000015
【図１４】
2004183473.tif 000016
【図１５】
2004183473.tif 000017
【図１６】
2004183473.tif 000018
【図１７】
2004183473.tif 000019
【図１８】
2004183473.tif 000020
【図１９】
2004183473.tif 000021
【図２０】
2004183473.tif 000022
【図２１】
2004183473.tif 000023
【図２２】
2004183473.tif 000024
【図２３】
2004183473.tif 000025
【図２４】
2004183473.tif 000026
【図２５】
2004183473.tif 000027
【図２６】
2004183473.tif 000028
【図２７】
2004183473.tif 000029